【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
軸線によって特徴付けられた光学装置であって、
Ａ）第１及び第２の面と中間周囲面とを含む、軸線上に位置する光学要素と、
Ｂ）前記光学要素に対する能動的台座を形成するための光学要素支持手段と、
を含み、
前記支持手段は、前記周囲面に係合するための第１の支持手段と、該周囲面に隣接した前記第１及び第２の面の各々に係合するために前記光学要素支持手段の部分にある第２の支持手段とを含み、それによって前記第１及び第２の支持手段が前記軸線に沿った前記光学要素の運動が制限されるように光学装置内に前記光学要素を固定するようになった、
ことを特徴とする装置。
【請求項２】
前記第１の支持手段は、前記周囲面の幾何学形状に適合し、前記第２の支持手段は前記第１及び第２の面の隣接部分に適合することを特徴とする請求項１に記載の光学装置。
【請求項３】
前記第１の支持手段は、前記周囲面に係合するためのハウジング手段の中間部分を含み、前記第２の支持手段は、前記ハウジング手段を該周囲面に隣接した前記第１及び第２の面の幾何学形状に該ハウジングを適合させるために、前記ハウジング手段の離間した圧着部分を有することを特徴とする請求項２に記載の光学装置。
【請求項４】
前記支持手段は、前記周囲面に係合するためのハウジング手段の中間部分を含み、該ハウジング手段は、該周囲面に隣接しかつその周りの前記第１及び第２の面の幾何学形状に該ハウジングを適合させるための第１及び第２の変形部分を有することを特徴とする請求項２に記載の光学装置。
【請求項５】
前記それぞれの支持手段は、軸線方向に延びる第１及び第２のシェルを含み、各シェルは、前記周囲面に係合するための中間部分と、該周囲面に隣接した前記第１及び第２の面の上に重なって相反する方向に延びる部分と、該周囲面に隣接した該第１及び第２の面の幾何学形状に適合する、該中間部分と該相反する方向に延びる部分の各々との間の塑性変形した移行部分とを有することを特徴とする請求項２に記載の光学装置。
【請求項６】
前記第１及び第２のシェルを捕捉するための手段を含むことを特徴とする請求項５に記載の光学装置。
【請求項７】
軸線によって特徴付けられた光学装置であって、
Ａ）軸線上に位置した少なくとも１つのレンズ要素を含むレンズセットであって、該レンズセットが第１及び第２の面と中間周囲面とを有しており、
Ｂ）前記レンズセットに対する能動的台座を形成するためのレンズセット支持手段と、  を含み、
前記支持手段は、前記周囲面に係合するための第１の支持手段と、該周囲面に隣接した前記第１及び第２の面の各々に係合するための第２の塑性変形した支持手段とを含み、それによって前記レンズセットは、前記軸線に沿った運動が制限されるように光学装置内に固定される、
ことを特徴とする装置。
【請求項８】
前記第１の支持手段は、前記レンズセット周囲面の幾何学形状に適合し、かつ前記第の支持手段は前記第１及び第２の面の隣接部分に適合することを特徴とする請求項７に記載の光学装置。
【請求項９】
前記レンズセット周囲面は、円筒形を有し、該周囲面と同じ広がりを有する前記第１の支持手段の部分は、該周囲面に係合することを特徴とする請求項８に記載の光学装置。
【請求項１０】
前記第１の支持手段は、前記周囲面に係合するための円筒形ハウジングの中間部分を含み、前記第２の支持手段は、該周囲面に隣接した前記第１及び第２の面の部分の上に重なる該ハウジングの角度的に離間した圧着部を含むことを特徴とする請求項９に記載の光学装置。
【請求項１１】
前記第１の支持手段は、前記周囲面に係合するための円筒形ハウジングの中間部分を含み、かつ前記第２の支持手段は、該周囲面に隣接しかつその周りの前記第１及び第２の面の幾何学形状に該ハウジングを適合させる塑性変形して周方向に延びる該ハウジングの部分を含むことを特徴とする請求項９に記載の光学装置。
【請求項１２】
前記レンズセット支持手段は、軸線方向に延びる第１及び第２のシェルを含み、各シェルは、前記レンズセット周囲面に係合するための第１の半径を有する中間部分と、該第１の半径よりも小さい第２の半径を有し、それによって該周囲面に隣接した前記第１及び第２の面の上に重なった相反する方向に延びる部分と、該周囲面に隣接した該第１及び第２の面の幾何学形状に適合する、該中間部分と該相反する方向に延びる部分の各々との間の塑性変形した移行部分とを有しており、前記第１の及び第２の支持手段が前記中間部分及び移行部分を有することを特徴とする請求項９に記載の光学装置。
【請求項１３】
前記第１及び第２のシェルを捕捉するための外側ハウジングを含むことを特徴とする請求項１２に記載の光学装置。
【請求項１４】
光学モジュールとして形成された複数の光学要素を含む内視鏡であって、
光学モジュールの各々が、
Ａ）軸線上に位置するレンズ、スペーサ、窓、及びプリズムの群から取られ、第１及び第２の面と中間周囲面とを含む少なくとも１つの光学要素セットと、
Ｂ）前記光学要素セットに対する能動的台座を形成するための前記軸線に沿って延びる光学要素支持手段と、
を含み、
前記支持手段は、前記光学要素セット中間周囲面に係合するための第１の支持手段と、該周囲面に隣接した前記第１及び第２の光学要素セット面に係合するための第２の塑性変形した支持手段とを含み、それによって前記光学要素は、前記軸線に沿った運動が制限されるように前記光学モジュール内に固定される、
ことを特徴とする内視鏡。
【請求項１５】
前記第１の支持手段は、前記光学要素セット周囲面の幾何学形状に適合し、前記第２の支持手段は、前記第１及び第２の光学要素セット面の隣接部分に適合するようになっていることを特徴とする請求項１４に記載の内視鏡。
【請求項１６】
前記光学要素セット周囲面は、円筒形を有し、該周囲面と同じ広がりを有する前記第１の支持手段の部分は、該周囲面に係合することを特徴とする請求項１５に記載の内視鏡。
【請求項１７】
前記第１の支持手段は、前記光学要素セット周囲面に係合するための円筒形ハウジングの中間部分を含み、前記第２の支持手段は、該光学要素セット周囲面に隣接した前記第１及び第２の光学要素セット面の部分の上に重なる該ハウジングの角度的に離間した圧着部を含むことを特徴とする請求項１６に記載の内視鏡。
【請求項１８】
第１の支持手段は、前記光学要素セット周囲面に係合するための円筒形ハウジングの中間部分を含み、前記第２の支持手段は、該光学要素セット周囲面に隣接しかつその周りの前記第１及び第２の光学要素セット面の幾何学形状に該ハウジングを適合させるための塑性変形して周方向に延びる該ハウジングの部分を含むことを特徴とする請求項１６に記載の内視鏡。
【請求項１９】
前記光学要素支持手段は、軸線方向に延びる第１及び第２のシェルを含み、各シェルは、前記光学要素セット周囲面に係合するための第１の半径を有する中間部分と、該第１の半径よりも小さい第２の半径を有し、それによって該光学要素セット周囲面に隣接した前記第１及び第２の面の上に重なった相反する方向に延びる部分と、該光学要素セット周囲面に隣接した該第１及び第２の光学要素セット面の幾何学形状に適合する、該中間部分と該相反する方向に延びる部分の各々との間の塑性変形した移行部分とを有しており、前記第１の及び第２の支持手段が前記中間部分及び移行部分を有することを特徴とする請求項１６に記載の内視鏡。
【請求項２０】
前記第１及び第２のシェルを捕捉するための外側ハウジングを含むことを特徴とする請求項１９に記載の内視鏡。
【請求項２１】
円筒形被覆と、像を形成するための遠位端の対物レンズ手段と、該対物レンズ手段から近位端に向けて像を送るための中継レンズ手段と、見るための像を提供するための該近位端の接眼レンズ手段とを含む内視鏡であって、
対物レンズ手段、中継レンズ手段、及び接眼レンズ手段のうちの少なくとも１つは、被覆内に位置するために光学モジュールを含み、
前記光学モジュールの各々は、
Ａ）円筒形周囲面と軸線に対して横方向に配向された２つの面とにより特徴付けられた、前記像を該軸線に沿って向けるための少なくとも１つのレンズ要素のレンズセットと、
Ｂ）前記レンズセット円筒形周囲面に係合するための第１の支持部分と、該レンズセット周囲面に隣接した前記レンズセット面に適合する塑性変形した部分を含む該第１の支持部分から延びる第２の支持部分とを有し、それによって該第２の支持部分が、前記レンズセットを固定してその軸線方向の運動を制限する、該軸線に沿って延びる支持手段と、
を含む、
ことを特徴とする内視鏡。